(57)【要約】【課題】両面表示を行なう液晶表示装置の光源を共通化すると、両面とも同色の光しか出せず、外装ケースのデザイン・色とのマッチングを考慮して様々な色の光源を必要とすることが場合に意匠性に欠ける。【解決手段】バックライトと２つの液晶パネルとの間の少なくとも一方に波長選択フィルターを設置することによって、バックライトから波長選択的に光を透過させることができ、その波長に応じた色の光を出射することが可能になり、外装ケースのデザイン・色とのマッチングがよくなる。【選択図】　　図１
2004004490.tif 000002
【特許請求の範囲】
【請求項１】
２つの液晶パネルと、前記２つの液晶パネルを照明するバックライトと、前記バックライトと前記２つの液晶パネル間の少なくとも一方に、特定波長のみを選択的に透過させ、前記特定波長以外を反射または吸収する、波長選択フィルターと、を備えることを特徴とする液晶表示装置。
【請求項２】
第一の液晶パネルと、
第二の液晶パネルと、
前記第一の液晶パネルと前記第二の液晶パネルと間に配置された導光板と、
前記導光板に光を入射する光源と、
前記第一の液晶パネルと前記第二の液晶パネルの一方と前記導光板との間に設けられた、特定波長の光のみを選択的に透過させ前記特定波長以外の光を反射または吸収する波長選択フィルターと、を備えることを特徴とする液晶表示装置。
【請求項３】
液晶パネルと、前記液晶パネルを照明する１つのバックライトと、前記バックライトと前記液晶パネル間の少なくとも一部に、特定波長のみを選択的に透過させ、前記特定波長以外を反射または吸収する、波長選択フィルターを備えることを特徴とする液晶表示装置。
【発明の詳細な説明】
【０００１】
【発明の属する技術分野】
本発明は、携帯電話等に使用されている、液晶表示装置に関するものである。
【０００２】
【従来の技術】
従来の液晶表示装置は、両面表示を行なう場合、液晶パネル、制御基板、バックライトが組み込まれた２つの液晶モジュ−ルへ、画像信号を入力し、２つの液晶モジュールを組み合わせて画像信号を両面表示して一方の面及び他方の面に各々表示していた。
【０００３】
しかしながら、前述の両面表示を行なう液晶表示装置は、液晶パネル、制御基板、バックライトが組み込まれた２つの液晶モジュ−ルが必要となるため、コスト高になり、かつ制御基板及びバックライトが２つ必要になるため、装置の厚みが増大するという課題があった。
【０００４】
そこで、この課題を解決するために、従来、画像信号を出力する制御基板と、この制御基板から出力された画像信号を表示する透過型液晶パネルと、その裏面に設けた上記画像信号を表示する透過型液晶パネルとの間に光源を設けて両方の液晶パネルを照明するバックライトを構成することで、低コストで薄型を実現した両面表示を行なっていた（例えば、特許文献１参照。）。
【０００５】
【特許文献１】
特開２０００−３３８４８３号公報
【０００６】
【発明が解決しようとする課題】
しかしながら、この方法を用いて光源を共通化すると、必然的に両面とも同色の光しか出せず、とりわけ片面の液晶パネルがカラー液晶パネルの場合は、もう片面も通常白色光源を用いざるを得ない。この場合において、カラー液晶パネルに対向する側の液晶パネルが白黒液晶パネルであった場合、外装ケースのデザイン・色とのマッチングを考慮して様々な色の光源を必要とすることが多く、従来の方法では、前述のように両面とも同色の光しか出せないため、意匠性に欠けていた。
【０００７】
【課題を解決するための手段】
そこで、片側のバックライト導光板と液晶パネルとの間に波長選択フィルターを設置することによって、白色バックライト光源から波長選択的に光を透過させることができ、その波長に応じた色の光を出射することが可能になり、外装ケースのデザイン・色とのマッチングがよくなる。さらに１つのバックライトによって液晶パネルを部分的に異なる光源色で照明させることが可能になる。
【０００８】
【発明の実施の形態】
以下、図面を用いて本発明による液晶表示装置を説明する。図１は本発明にかかる液晶表示装置の基本的な構成を示す模式的な断面図である。波長選択フィルター１は特定波長の光のみを選択的に透過させ、それ以外の波長の光を反射または吸収する機能を有している。液晶表示パネル３、４は互いに対向する基板間の間隙に液晶が封入された構成であり、電界や電流や温度上昇によって液晶分子の配列状態や相変化が起こり、液晶状態での光の干渉、散乱、回折、旋光、選択散乱、吸収などの光学的性質が変化することを動作原理としているものである。バックライト２は、その両側に配置された非発光表示素子である液晶パネル３および４を暗所で照明させるもので、通常ＬＥＤ、ＥＬ、ＦＬ等が利用される。
【０００９】
本発明は、液晶パネル３、４に共通の光源であるバックライト２から出射された光が、第二の液晶パネル４に入射する場合には波長を変化させることなく入射させ、液晶パネル３に入射する場合には、間に設けられた波長選択フィルター１を通すことによってバックライト２から出射された光透過する波長の一部のみを入射させるようにする。このような構成にすることにより、二つの液晶パネルを用いて両面表示させる液晶表示装置において、二つの液晶パネルで異なる色の表示を実現することが可能となる。
【００１０】
【実施例】
以下に、本発明にかかる液晶表示装置の実施例について図面を参照して詳細に説明する。
【００１１】
（実施例１）
本実施例を図２に本実施例の構成を模式的に示す。波長選択フィルター１は、基本的には緑色、赤色を反射し青色は透過する波長特性を有している。具体的にはハーフミラー、コレステリックフィルム、多層膜延伸フィルムなどがこのような特性を有している。液晶パネル３、４は、液晶をガラス基板に挟んで保持し表裏に偏光フィルムおよび位相差フィルムを貼り付けた構造である。ここで、液晶パネル３にはカラーフィルターを設けない白黒表示のＳＴＮパネルを用い、第二の液晶パネル４にはカラーフィルターを有するカラー表示のＳＴＮパネルを用いた。バックライト２は、ＬＥＤを複数個並べ発光面に拡散フィルムを配置した構成であり、ＬＥＤの発光色が白色のバックライトを使用した。
【００１２】
図２に示すように、バックライト２から液晶パネル３側に出射した光１０は、緑色成分光と赤色成分光３０が選択的に反射され、青色成分光２０が透過する。そのため、液晶パネル３の背景色は青色に見える。このような構成により青色の背景を得ることができた。一方、第二の液晶パネル４については波長選択フィルターを設けていないため、バックライト光１０は何ら影響を受けることなくそのまま透過され、通常の白色光を用いた表示となる。
【００１３】
また、図３に示すように第二の液晶パネル４側に波長選択フィルター１と異なる領域の波長を選択的に透過する波長選択フィルター５を追加しても良い。この場合、液晶パネル３と第二の液晶パネル４とで共通のバックライト２を用いて白色（光源光色）以外の異なる色の光で照明することが可能である。
【００１４】
（実施例２）
本実施例の模式的な構成を図４に示す。図示するように、バックライト２と液晶パネル３の間に波長選択フィルター１が設置されている。本実施例の液晶パネル３はカラーフィルターを設けない白黒表示のＳＴＮパネルを用いており、機能の異なる２つの領域３ａと３ｂに分けられている。例えば、ドットマトリクス状の表示領域３ａとアイコン表示領域３ｂの二つの表示領域で構成される。バックライト２は、液晶パネル全体を照明する照明装置であり、ＬＥＤを複数個並べ発光面に拡散フィルムを配置した構成であり、ＬＥＤの発光色が白色のバックライトを使用した。また、波長選択フィルター１は、液晶パネル３のうちアイコン表示領域３ｂとバックライト２の間に設置されており、基本的には緑色、赤色を反射し青色は透過する波長特性を有している。具体的にはハーフミラー、コレステリックフィルム、多層膜延伸フィルムなどがこのような特性を有している。
【００１５】
本実施例の構成によれば、表示領域３ｂについては、バックライトから出射した光のうち、緑色光と赤色光が選択的に反射され、青色光が透過することになり、背景色は青色に見える。一方、表示領域３ａについては波長選択フィルターを設けていないため、バックライト光は何ら影響を受けることなくそのまま透過し、通常の白色光を用いた表示がなされる。すなわち、表示領域３ａと表示領域３ｂとで共通のバックライト２を用いて異なる色の光で照明することが可能である。
【００１６】
また、この構成によれば、ドットマトリクス状の表示領域３ａとバックライト２の間に波長選択フィルター１の厚み分の間隙ができるため、ここに何らかの機能性フィルムを設置してもよい。例えば、波長選択フィルター１と異なる波長を選択的に透過する波長選択フィルター５を設置した場合、３ａは白色ではなく、波長選択フィルター５の特性に応じた色の光で照明される。
【００１７】
（実施例３）
本実施例の構成を図５に模式的に示す。図示するように、液晶パネル３と第二の液晶パネル４はそれぞれの表示面が同一方向になるように配置されている。これらの液晶パネルはバックライト２によって共通に照明され、液晶パネル３とバックライト２の間に波長選択フィルター１が設置された構造である。液晶パネル３はカラーフィルターを設けない白黒表示のＳＴＮパネルを用いており、第二の液晶パネル４はカラーフィルターを有するカラー表示のＳＴＮパネルを用いた。バックライト２は、ＬＥＤを複数個並べ発光面に拡散フィルムを配置した構成であり、ＬＥＤの発光色が白色のバックライトを使用した。また、波長選択フィルター１は、基本的には緑色、赤色を反射し青色は透過する波長特性を有している。具体的にはハーフミラー、コレステリックフィルム、多層膜延伸フィルムなどがこのような特性を有している。
【００１８】
このような構成によれば、液晶パネル３ではバックライト２からの白色入射光のうち、緑色、赤色が波長選択フィルター１によって反射され、液晶パネル３を照明する光は青色となるが、第二の液晶パネル４においては波長選択フィルターを設けていないため、第二の液晶パネル４を照明する光はバックライト２からの入射光と同じ白色である。すなわち、液晶パネル３と第二の液晶パネル４とで共通のバックライト２を用いて異なる色の光で照明することが可能である。
【００１９】
また、この構成によれば、第二の液晶パネル４とバックライト２の間に波長選択フィルター１の厚み分の間隙ができるため、ここに何らかの機能性フィルムを設置してもよい。例えば、波長選択フィルター１と異なる波長を選択的に透過する波長選択フィルター５を設置した場合、４は白色ではなく、波長選択フィルター５の特性に応じた色の光で照明される。
【００２０】
本発明は上述した各実施例の構成にこだわるものではなく、他の材料や特性の部材を使用しても良い。例えば、波長選択フィルター１は、特定波長の光のみを選択的に透過させ、それ以外の光は反射または吸収されるものであればよく、ハーフミラー、リップマンホログラム、コレステリックフィルム、多層膜延伸フィルム、顔料、染料等を使用することができる。また、液晶パネル３、４についてもＳＴＮに限らず、ＴＦＴ、散乱モードなどを用いても良いし、白黒表示でもカラー表示でも良い。第二の液晶パネル４また、バックライトも白色に限るものでなく、波長選択フィルターによって出射波長の少なくとも一部が透過されるものであればどのような波長を出射するものでも良い。
【００２１】
【発明の効果】
本発明によって、回路基板、バックライトを共通化し、装置全体を薄く軽量化しながら、バックライト光の波長を両面で制御できる両面表示型の液晶表示装置が得られる。また、１つのバックライトによって液晶パネルを部分的に異なる光源色で照明させることが可能になる。
【図面の簡単な説明】
【図１】本発明に係る液晶表示装置の基本的な構成を模式的に示す断面図である。
【図２】本発明に係る液晶表示装置のバックライト光の光路を模式的に説明する断面図である。
【図３】本発明に係る液晶表示装置のうち、両面に波長選択フィルターを設けた構成を模式的に示す断面図である。
【図４】本発明に係る液晶表示装置のうち、１つの液晶パネルに対して部分的に波長選択フィルターを設けた構成を模式的に示す断面図である。
【図５】本発明に係る液晶表示装置のうち、バックライト上に２つの液晶パネルを設けた構成を模式的に示す断面図である。
【符号の説明】
１　波長選択フィルター
２　バックライト
３　液晶パネル
３ａ　液晶パネルの表示領域
３ｂ　液晶パネルの表示領域
４　液晶パネル
５　波長選択フィルター
１０　バックライト光
２０　波長選択フィルター透過光
３０　波長選択フィルター反射光
【図１】
2004004490.tif 000003
【図２】
2004004490.tif 000004
【図３】
2004004490.tif 000005
【図４】
2004004490.tif 000006
【図５】
2004004490.tif 000007